(57)【要約】【課題】本発明の課題は、出光される光の出光方向を制御することによって、光の利用効率を高めるとともに、たとえばフラットパネルディスプレイの照明装置として用いられた際に装置全体の小型化を図ることのできるフラットパネルディスプレイ用照明装置、および、発光ランプを提供することを課題とする。【解決手段】本発明に係るフラットパネルディプレイ用照明装置としての特徴は、発光ランプからの光を導光するための導光体を備え、発光ランプが、ランプ本体１の内部に発光素子１０を内蔵し、ランプ本体１が、発光素子１０からの光を反射する反射面５と、該反射面５と対向し且つ導光体に向けて反射面５からの反射光を照射する放射面２とを有し、放射面２が、導光体の被照射面に沿った形状に形成されており、反射面５が、発光素子１０からの光を反射する際に一方向から見て反射光が略平行となるべく湾曲して形成されている点にある。【選択図】図１
2005038822.tif 000002
【特許請求の範囲】
【請求項１】
発光ランプからの光を導光するための導光体を備えたフラットパネルディプレイ用照明装置であって、
前記発光ランプは、ランプ本体の内部に発光素子を内蔵してなり、
前記ランプ本体は、発光素子からの光を反射する反射面と、該反射面と対向し且つ前記導光体に向けて反射面からの反射光を照射する放射面とを有しており、
前記放射面は、前記導光体の被照射面に沿った形状に形成されており、
前記反射面は、発光素子からの光を反射する際に一方向から見て反射光が略平行となるべく湾曲して形成されていることを特徴とする照明装置。
【請求項２】
請求項１記載の照明装置であって、
前記放射面は、被照射面側から見て略方形状に形成されていることを特徴とする照明装置。
【請求項３】
請求項１又は２記載の照明装置であって、
前記放射面は、前記反射面から反射された光が透過して被照射物に向けて照射する投光部、前記発光素子が設けられている第１電極部、及び、前記発光素子と外部電源とを電気的に接続するための第２電極部に区分けされ、
前記第２電極部が、導光体の被照射面と重なる領域の発光ランプの厚み方向の長さが、０．２ｍｍ以下となるように設けられていることを特徴とする照明装置。
【請求項４】
請求項１乃至３の何れかに記載の照明装置であって、
前記放射面は、前記反射面から反射された光が透過して被照射物に向けて照射する投光部、前記発光素子が設けられている第１電極部、及び、前記発光素子と外部電源とを電気的に接続するための第２電極部に区分けされ、
前記第１電極部は、放射面の投光領域における発光ランプの厚み方向の占有率が７０％以下となるように設けられていることを特徴とする照明装置。
【請求項５】
請求項１乃至４の何れかに記載の照明装置であって、
前記発光素子は、前記反射面の厚み方向の中心から、上下いずれかの方向に偏って配置されていることを特徴とする照明装置。
【請求項６】
請求項１乃至５の何れかにに記載の照明装置であって、
前記放射面には、透光性基板が配置されていることを特徴とする照明装置。
【請求項７】
請求項１乃至６の何れかに記載の照明装置であって、
前記放射面には、発光素子と外部電源とを電気的に接続する電極が形成され、該電極は、透光性材料により形成されてなることを特徴とする照明装置。
【請求項８】
請求項１乃至７の何れかに記載の照明装置であって、
前記反射面は、前記発光素子の発光面又はその近傍を焦点とする湾曲面に形成されていることを特徴とする照明装置。
【請求項９】
請求項１乃至８の何れかに記載の照明装置であって、
前記ランプ本体は、導光体の上面および下面に連続するような上面および下面を有することを特徴とする照明装置。
【請求項１０】
請求項９記載の照明装置であって、
前記ランプ本体の上面または下面の少なくとも一面に反射層が設けられていることを特徴とする発光ランプ。
【請求項１１】
請求項１乃至１０の何れかに記載の照明装置であって、
前記発光素子は、ＬＥＤであることを特徴とする照明装置。
【請求項１２】
請求項１乃至１１の何れかに記載の照明装置であって、
前記放射面に拡散手段が設けてあることを特徴とする照明装置。
【請求項１３】
請求項１２記載の照明装置であって、
前記拡散手段が、前記放射面に形成された蛍光材であることを特徴とする照明装置。
【請求項１４】
請求項１２または１３記載の照明装置であって、
前記拡散手段が、少なくとも１つの凹凸面によって形成されていることを特徴とする照明装置。
【請求項１５】
請求項１４記載の照明装置であって、
前記凹凸面が、一次元的に配列されていることを特徴とする照明装置。
【請求項１６】
請求項１５記載の照明装置であって、
前記凹凸面は、前記反射光が平行に見える方向と垂直方向に沿って形成された複数の凸条体から構成されていることを特徴とする照明装置。
【請求項１７】
請求項１乃至１６の何れかに記載の照明装置であって、
前記ランプ本体が、複数個設置されていることを特徴とする照明装置。
【請求項１８】
請求項１７記載の照明装置であって、
前記複数のランプ本体が一体的に形成されていることを特徴とする照明装置。
【請求項１９】
導光体等の被照射物に対して光を照射する発光ランプであって、
ランプ本体は、内部に発光素子を内蔵してなり、
該ランプ本体は、発光素子からの光を反射する反射面と、該反射面と対向し且つ前記被照射物に向けて反射面からの反射光を照射する放射面とを有しており、
前記放射面は、前記被照射物の被照射面に沿った形状に形成されており、
前記反射面は、発光素子からの光を反射する際に一方向から見て略平行となるべく湾曲して形成されていることを特徴とする発光ランプ。
【請求項２０】
請求項１９記載の発光ランプであって、
前記放射面は、被照射面側から見て略方形状に形成されていることを特徴とする発光ランプ。
【請求項２１】
請求項１９又は２０に記載の発光ランプであって、
前記放射面は、前記反射面から反射された光が透過して被照射物に向けて照射する投光部、前記発光素子が設けられている第１電極部、及び、前記発光素子と外部電源とを電気的に接続するための第２電極部に区分けされ、
前記第２電極部が、被照射物の被照射面と重なる領域の発光ランプの厚み方向の長さが、０．２ｍｍ以下となるように設けられていることを特徴とする発光ランプ。
【請求項２２】
請求項１９乃至２１の何れかに記載の発光ランプであって、
前記放射面は、前記反射面から反射された光が透過して被照射物に向けて照射する投光部、前記発光素子が設けられている第１電極部、及び、前記発光素子と外部電源とを電気的に接続するための第２電極部に区分けされ、
前記第１電極部は、放射面の投光領域における発光ランプの厚み方向の占有率が７０％以下となるように設けられていることを特徴とする発光ランプ。
【請求項２３】
請求項１９乃至２２の何れかに記載の発光ランプであって、
前記発光素子は、前記反射面の厚み方向の中心から、上下いずれかの方向に偏って配置されていることを特徴とする発光ランプ
【請求項２４】
請求項１９乃至２３の何れかに記載の発光ランプであって、
前記放射面には、透光性基板が配置されていることを特徴とする発光ランプ。
【請求項２５】
請求項１９乃至２４の何れかに記載の発光ランプであって、
前記放射面には、発光素子と外部電源とを電気的に接続するための電極が形成され、該電極は、透光性材料により形成されてなることを特徴とする発光ランプ。
【請求項２６】
請求項１９乃至２５の何れかに記載の発光ランプであって、
前記反射面は、前記発光素子の発光面又はその近傍を焦点とする湾曲面に形成されていることを特徴とする発光ランプ。
【請求項２７】
請求項１９乃至２６の何れかに記載の発光ランプであって、
前記ランプ本体は、略平面に形成された上面および下面を有することを特徴とする発光ランプ。
【請求項２８】
請求項２７記載の発光ランプであって、
前記ランプ本体の上面または下面の少なくとも一面に反射層が設けられていることを特徴とする発光ランプ。
【請求項２９】
請求項１９乃至２８の何れかに記載の発光ランプであって、
前記発光素子は、ＬＥＤであることを特徴とする発光ランプ。
【請求項３０】
請求項１９乃至２９の何れかに記載の発光ランプであって、
前記放射面に拡散手段が設けてあることを特徴とする発光ランプ。
【請求項３１】
請求項３０記載の発光ランプであって、
前記拡散手段が、前記放射面に形成された蛍光材であることを特徴とする発光ランプ。
【請求項３２】
請求項３０または３１記載の発光ランプであって、
前記拡散手段が、少なくとも１つの凹凸面によって形成されていることを特徴とする発光ランプ。
【請求項３３】
請求項３２記載の発光ランプであって、
前記凹凸面が、一次元的に配列されていることを特徴とする発光ランプ。
【請求項３４】
請求項３３記載の発光ランプであって、
前記凹凸面は、前記反射光が平行に見える方向と垂直方向に沿って形成された複数の凸条体から構成されていることを特徴とする発光ランプ。
【請求項３５】
請求項１９乃至３４の何れかに記載の発光ランプであって、
前記ランプ本体が複数個、一体的に形成されて構成されていることを特徴とする発光ランプ。
【請求項３６】
導光体等の被照射物に対して光を照射する発光ランプの製造方法であって、
放物面を有する型に、該放物面に対向する位置に発光素子が取付けられた基板を嵌め合わせた状態で、該型に樹脂を注入固化することにより、発光素子からの光を反射する反射面と、該反射面と対向し且つ前記導光体に向けて反射面からの反射光を照射する放射面とを有する発光ランプを製造することを特徴とする発光ランプの製造方法。
【請求項３７】
請求項３６記載の発光ランプの製造方法であって、
前記型に前記基板を複数嵌め合わせ、
前記樹脂を固化せしめた後に、前記複数の基板を切断することにより発光ランプを形成することを特徴とする発光ランプの製造方法。
【請求項３８】
請求項３６または３７記載の発光ランプの製造方法であって、
前記放射面において発光素子に対して該発光素子と外部電源とを電気的に接続するための金線である電極を接続した後に、前記樹脂を注入することを特徴とする発光ランプの製造方法。
【発明の詳細な説明】
【技術分野】
【０００１】
本発明は、発光素子を使用した発光ランプ及びそれを用いた照明装置に関するもので、特に液晶表示装置の照明装置に適したものである。
【背景技術】
【０００２】
半導体発光素子である発光ダイオード（ＬＥＤ）は、各種の照明装置や表示装置の光源として使用されており、一般電子機器に用いられることが多い放射面の形状が砲弾型のランプタイプＬＥＤと、液晶表示装置の照明装置に用いられることが多いチップタイプＬＥＤとに大別される。
【０００３】
このチップタイプのＬＥＤは、発光効率が高く、消費電力が小さく、しかも耐久性が高いため、透過型液晶表示装置の照明装置であるバックライト及び反射型液晶表示装置の照明装置であるフロントライトの光源として用いられている。
【０００４】
前述のバックライトにおいては、導光板の端面（被照射面）に配置されたＬＥＤ光源から放射された光は、導光板内を伝播し、導光板の形状の作用で導光板上面の出射面から出射される。点光源であるＬＥＤ光源を用いて面光源として導光板から出射させる必要があるために、導光板の表面若しくは裏面に拡散パターンを形成したり、拡散シートを導光板の出射面側（上面側）に設置することで、光を散乱させて導光板の出射面の輝度ムラをなくすという手法が用いられることが多い。
【０００５】
また、拡散パターンが形成された導光板若しくは導光板を介して拡散シートから出射された光は、前方全方位に広がって出射されているため、集光プリズムフィルムとして例えば株式会社３Ｍ社製商品名ＢＥＦなどを設置することがなされている。この集光プリズムフィルムは屈折と反射の２つの原理を組み合わせてバックライトの効率を向上させるものである。バックライトから出射された光は、７０°までの視野角に集光するとともに、視野角外の光は再反射によってバックライトシステム内でリサイクルし、最適な角度でディスプレイ使用者の方向に集光するように設けられている。
【０００６】
また、反射型偏向フィルムとして株式会社３Ｍ社製商品名Ｄ−ＢＥＦなどを設置することにより、出射光を液晶パネルの下側偏光板に吸収させることなく、選択的に反射し、液晶パネルの全視野角にわたり再利用することで、正面方向の輝度向上を図ることもなされている。
【０００７】
しかるに、前記集光プリズムフィルムや反射型偏光フィルム、拡散シートを導光板の出射面側に設置することで、バックライトユニットとしての厚みが増し、コストが増加するといった問題が生じる。さらに、特許文献１所載の技術や、非特許文献２所載の技術のように、最近提案されている出射光の偏光が揃えられているタイプのバックライトにおいて、前記集光プリズムフィルムや拡散シートはその複屈折性や反射、屈折の作用により出射光の偏光が崩れてしまう為、導光板から出射する光の偏光を揃えるという本来の目的が十分に発揮できないという問題が生じる。
【特許文献１】特開平９−５７３９号
【非特許文献１】ＳＩＤ０２  ＤＩＧＥＳＴ  Ｐ１２３６〜Ｐ１２３９
【０００８】
また、上記ＬＥＤ光源は、図２２に示すように、表示領域２１と一定の隙間をもって配置されることがある。これは、図２２のようにＬＥＤ光源３１とＬＥＤ光源３１との間に暗部３２が生じてしまうためであり、このように、ＬＥＤ光源３１の放射面と表示領域２１との間に数ミリのデッドエリア３３を設けることによって、液晶パネルへの照射エリアに暗部が生じないように考慮されている。しかるに、かかるデットエリア３３を設ける必要があるため、そのエリア分だけバックライトのサイズが大きくなってしまう。
【０００９】
さらに、従来のチップタイプＬＥＤでは、樹脂からなるランプ本体内を導光して放射面に到達するうちに、放射面に対して角度を持って入射される光が存在する。しかるに、放射面に到達した光はスネルの法則に基づいて屈折、反射されるため、放射面に到達した光の一部は、放射面において反射されて、再度ランプ本体内を伝播することになり、上述の反射を繰り返すうちに減光されて放射されない光も存在する。このため、上述の従来のチップタイプのＬＥＤでは、ＬＥＤ光源としての光の取り出し効率が低いという問題があった。
【００１０】
一方、フロントライトにおいて、照明装置は、反射型液晶パネルとディスプレイ使用者の間に配置されるので、導光板にバックライトのような拡散パターンを形成したり、拡散シートを配置することができない。このため、光源の輝度ムラを無くすことは困難である。したがって、導光板に入射される光は導光板の端面から予め均一な分布をもつ必要があり、このため、導光板の端面に線状導光体を設置し、線状導光体の端面にＬＥＤ光源を配置することもなされている。
【００１１】
この線状導光体３５とは、図２３に示したように、点光源であるＬＥＤ光源３４を線光源として導光板２０に均一な光を入射させるためのものであり、線状導光体３５の裏面は導光板２０に効率よくＬＥＤ光源３４の光を入射するためプリズム構造となっている。また、その外周にはリフレクター（図示省略）が導光板２０に光を効率よく結合するよう配置されている。このような線状導光体３５を設けることにより、ＬＥＤ光源３４から線状導光体３５へと入射された光は線状導光体３５内を伝播し、導光板２０側へほぼ均一化された光を出射する為、前記拡散シートを用いることなく導光板２０からほぼ均一な分布をもった光を液晶パネル３６側へ出射することができる。
【００１２】
しかるに、ＬＥＤ光源３４から放射された光は、前記線状導光体３５を介して導光板２０へと入射されるため、線状導光体３５の内部を伝播するうちに減光され、線状導光体３５から導光板２０へ入射される光は、ＬＥＤ光源３４から放射された光のおよそ半分程度になってしまう。
【００１３】
なお、一般的電子機器に多く用いられる前述の砲弾型のランプタイプＬＥＤを液晶表示装置の照明装置に用いるならば、放射面が凸型であるため、ＬＥＤ光源からの放射光が効率良く導光板に入射されない。また、導光板の被照射面とＬＥＤ光源の放射面の形状が一致せず、導光板への入射効率が悪くなるという問題を有する。
【００１４】
また、この種のＬＥＤのうち、放射面から放射される光が略平行となるように考慮したものとしては、以下の特許文献２、特許文献３、及び、特許文献４に所載のものが公知である。
【特許文献２】特開平１０−３３５７０６号公報
【特許文献３】特開２００２−１３４７９３号公報
【特許文献４】特開平７−２１１９４０号公報
【００１５】
上記公報所載（特許文献２，３）のＬＥＤは、発光素子の発光面から放射された光が反射面によって略平行光化されて放射されるような反射面形状が半球面形状をしている。このため、上記公報所載のＬＥＤは、放射面が正面視（被照射面から見て）円形の形状であり、これを液晶表示装置の照明装置に用いるならば、導光板端面とＬＥＤ光源の放射面の形状が一致せず、導光体への入射効率が悪くなるという問題を有する。
【００１６】
また、特許文献４所載の平面発光型ＬＥＤを液晶表示装置の照明装置に用いた場合、ＬＥＤが実装される電極部やＬＥＤと外部電極とを接続する電極部からは、光が出射しないため、照明装置の発光ランプとして用いた場合、暗線が線状や帯状に観察され、表示装置の表示品位を著しく低下させるという問題を有している。
また、外部との電気的な接続を行うために形成された電極領域からは、光が出射せず、光量が低下するという問題を有している。
【発明の開示】
【発明が解決しようとする課題】
【００１７】
本願発明は、出光される光の出光方向を制御することによって、光の利用効率を高めるとともに、たとえばフラットパネルディスプレイの照明装置として用いられた際に装置全体の小型化を図ることのできるフラットパネルディスプレイ用照明装置、および、発光ランプを提供することを目的とする。
【課題を解決するための手段】
【００１８】
本願発明は上記課題を解決するため為されたものであり、本願発明に係るフラットパネルディプレイ用照明装置としての特徴は、発光ランプからの光を導光するための導光体を備えたフラットパネルディプレイ用照明装置であって、前記発光ランプは、ランプ本体の内部に発光素子を内蔵してなり、前記ランプ本体は、発光素子からの光を反射する反射面と、該反射面と対向し且つ前記導光体に向けて反射面からの反射光を照射する放射面とを有しており、前記放射面は、前記導光体の被照射面に沿った形状に形成されており、前記反射面は、発光素子からの光を反射する際に一方向から見て反射光が略平行となるべく湾曲して形成されていることを特徴とする。
【００１９】
上記構成からなる本願発明に係るフラットパネルディスプレイ用照明装置にあっては、発光素子により発光された光は、湾曲して形成された反射面において一方向から見て略平行となるように反射され、この略平行となった光が放射面から放射され、導光体の被照射面に入射されることになる。このように、導光体に入射される光が一方向から見て略平行であるため、従来のバックライトで用いられていた集光プリズムフィルムや反射型偏光フィルム、拡散シートを必ずしも必要とせず、このため、照明装置の薄型化に寄与することができる。
【００２０】
また、本願発明に係る発光ランプとしての特徴は、導光体等の被照射物に対して光を照射する発光ランプであって、ランプ本体は、内部に発光素子を内蔵してなり、該ランプ本体は、発光素子からの光を反射する反射面と、該反射面と対向し且つ前記被照射物に向けて反射面からの反射光を照射する放射面とを有しており、前記放射面は、前記被照射物の被照射面に沿った形状に形成されており、前記反射面は、発光素子からの光を反射する際に一方向から見て略平行となるべく湾曲して形成されていることを特徴とする。
【００２１】
上記構成からなる本願発明に係る発光ランプにあっては、発光素子により発光された光は、湾曲して形成された反射面において一方向から見て略平行となるように反射され、この略平行となった光を放射面から放射することができる。このため、かかる発光ランプを導光体を有するフラットパネルディスプレイの照明装置に適用した場合には、導光体に入射される光が一方向から見て略平行となり、このため、従来のバックライトで用いられていた集光プリズムフィルムや反射型偏光フィルム、拡散シートを必ずしも必要とせず、照明装置の薄型化に寄与することができる。しかも、ランプ本体の放射面が導光体の被照射面に沿った形状に形成されているため、発光ランプの厚みと被照射物の厚みが一致し、両者の形状の一致を図ることができる。
【００２２】
さらに、本願発明にあっては、放射面が、被照射面側から見て略方形状に形成されている構成を採用することが好ましく、これにより、導光体との形状がより一致するという利点を有する。
【００２３】
また、本発明にあっては、放射面が、反射面から反射された光が透過して被照射物に向けて照射する投光部、前記発光素子が設けられている第１電極部、及び、前記発光素子と外部電源とを電気的に接続するための第２電極部に区分けされ、前記第２電極部が、導光体の被照射面と重なる領域の発光ランプの厚み方向の長さが、０．２ｍｍ以下となるように設けられていることが好ましい。
【００２４】
これにより、放射部に形成された投光部から透過する光量を低下させることなく十分な光が透過でき、明るい照明装置及び、発光ランプを提供できる。
また、一般に、従来の発光ランプでは、第２電極にはガラスエポキシ樹脂などの不透光性基板を用い、第２電極上に金属電極が形成される。このような不透光性基板を用いた発光ランプでは、不透光領域から光が出射せず、透過光量が低下すると共に、特に、照明装置の発光ランプに用いた場合、不透光領域と導光体の被照射面とが重なる領域からは、光が出射せず、帯状の暗線が観察され、表示品位の低下を招くと言う問題を有していた。しかるに、上述のように、第２電極部と導光体の被照射面との重なる領域を発光ランプの厚み方向の長さが、０．２ｍｍ以下とすることで、帯状の暗線の発生を防止できる。
【００２５】
また、放射面が、前記反射面から反射された光が透過して導光体に向けて照射する投光部、前記発光素子が設けられている第１電極部、及び、前記発光素子と外部電源とを電気的に接続するための第２電極部に区分けされ、前記第１電極部は、放射面の投光領域における発光ランプの厚み方向の占有率が７０％以下となるように設けられている構成を採用することが好ましい。
【００２６】
これにより、放射面より光が出射されない暗部領域を軽減でき、特に、照明装置として使用した場合、暗部が線状に観察される暗線を軽減した照明装置及び、発光ランプを提供できる。
【００２７】
さらに、発光素子を、反射面の厚み方向の中心から、上下いずれかの方向に偏って配置することにより、暗線の軽減と、光量の低下を防止した照明装置及び、発光ランプを提供できる。
【００２８】
また、放射面に、ガラス基板、透明樹脂基板（たとえばＰＭＭＡ、ＰＣ）などを配置する、あるいは、発光素子と外部電源とを電気的に接続するための電極として、透明性材料（ＩＴＯなど）用いる事で、放射面から出射する光量の低下を、さらに改善できると共に、帯状の暗線を防止した照明装置及び、発光ランプを提供できる。
【００２９】
また、本願発明にあっては、反射面が、発光素子の発光面又はその近傍を焦点とする湾曲面に形成されている構成を採用することが好ましい。これにより、発光素子の発光面から反射面によって反射された光が、一方向から見て平行により近くなるという利点を有する。
【００３０】
また、本願発明にあっては、ランプ本体が、略平面に形成された上面および／または下面を有することが好ましい。これにより、上面または下面に到達した光のうち一定角度内のものは略平面の上面および下面によってランプ本体内に反射させて、出光面からの出光に利用することができ、このため、光の利用効率をより向上できるという利点を有する。さらに、このランプ本体の上面および／または下面が、導光体等の被照射物の上面および下面に連続するように設けられていることが好ましい。これにより、導光体等の被照射物の上面および下面に連続してランプ本体の上面および下面が位置することになり、装置全体の小型化に寄与するとともに、被照射面との形状の一致により光の利用効率がより高くなるという利点を有する。
【００３１】
さらに、上記のようにランプ本体が上面または下面を有する構成を採用した場合にあっては、ランプ本体の上面または下面の少なくとも一面に反射層が設けられている構成を採用することが好ましい。これにより、発光素子の発光面から出射した光のうち、上面または下面から出光されてしまう光を反射層によってランプ本体内に反射させて、出光面からの出光に利用することができ、このため、光の利用効率をより向上できるという利点を有する。
【００３２】
また、本願発明にあっては、発光素子が、ＬＥＤであることが好ましく、これにより、消費電力が少なく、長寿命であるといった環境にやさしい安全な固体素子照明光源として用いることができる。
【００３３】
さらに、本願発明にあっては、放射面に拡散手段が設けてあることが好ましく、これにより、放射面が平坦面の場合では全反射条件を満たしていた光でも、放射面に拡散手段を設けることで、全反射条件を崩し、放射面における反射率を低下させることができるため、光の利用効率を向上させることができる。つまり、反射面からの反射光は、一方向から見て略平行になっているものの、この方向の垂直方向においては略平行とはなっておらず、このため、この垂直方向から見た角度が全反射条件を満たすような角度であっても、放射面に拡散手段が設けられていることにより、放射面から出光することができる。
【００３４】
また、上記のような拡散手段としては、放射面に形成された蛍光材から構成することが可能であり、これにより放射面に形成された蛍光材によって全反射条件を崩すことができる。
【００３５】
さらに、上記のような拡散手段として、少なくとも１つの凹凸面によって形成されていることも可能であり、これにより、凹凸面の界面における光の入射角が変わる為、同様に全反射条件を崩すことができる。
また、この凹凸面は、一次元的に配列されていることが好ましく、これにより、一方向から見た平行度をある程度維持することが可能となる。特に、この凹凸面は、反射光が平行に見える方向と垂直方向に沿って形成された複数の凸条体から構成されていることが好ましく、これにより、拡散手段を有するものの放射される光の一方向から見た平行度を高めることが可能となる。
【００３６】
また、本願発明に係るフラットディスプレイ用照明装置にあっては、ランプ本体が複数個設置されていることが好ましく、これにより、導光体の全体に均一に光を供給することが可能となり、このため、従来のデットエリア（図２２参照）をなくすことができ、このため、表示面積に対する装置の面積を小さくすることができる。
さらに、かかる構成を採用する場合には、複数のランプ本体が一体的に形成されていることが好ましく、これにより、全体として線光源のように光を照射することができる。なお、本願発明に係る発光ランプにあっても、ランプ本体が複数個、一体的に形成されていることが好ましい。
【００３７】
以上のように、本発明によれば、反射面が湾曲して形成され、発光素子からの光が反射面において一方向から見て略平行となるように放射面に向けて反射され、この略平行となった光が放射面から放射されることになり、このため、従来のバックライトで用いられていた集光プリズムフィルムや反射型偏光フィルム、拡散シートを必ずしも必要とせず、しかも、従来必要であったデッドエリアも不要であるので、装置全体の小型化に寄与することができ、さらに、放射面が被照射面に沿った形状に形成されているため、発光素子の光が放射面から効率良く被照射面に照射することができ、光の利用効率が高いという利点を有する。
【発明を実施するための最良の形態】
【００３８】
以下、本願発明の実施形態について説明する。
【実施例１】
【００３９】
まず、本願発明の第一実施形態のフラットパネルの照明装置に用いられる発光ランプについて、図１乃至図４を参酌しつつ説明する。なお、図１は、第一実施形態の発光ランプの概略的斜視図である。また、図２は、同実施形態の発光ランプの概略的平面図である。また、図３は、同実施形態の発光ランプの概略的正面図である。また、図４は、同実施形態の発光ランプがフラットパネルディスプレイに装着された際の導光体との関係を説明するための概略的斜視図である。なお、この実施の形態に記載されている構成部品の寸法、材質、形状、その相対配置等は、特に特定的な記載がない限りはこの発明の範囲をそれのみに限定する趣旨ではなく、単なる説明例に過ぎない。
【００４０】
第一実施形態の発光ランプは、樹脂からなるランプ本体１が、内部に発光素子１０を内蔵した構成からなる。前記発光素子１０は、発光ランプが半田付け等によって電気的に接続される基板（図示省略）からの電力により発光する発光ダイオード（ＬＥＤ）から構成されており、該発光素子１０は、背面側（後述の反射面５側）に向けて発光するように設けられている。
【００４１】
また、前記発光素子１０は、ランプ本体１をモールド樹脂によって成型する際に成型型内に内在されることにより、ランプ本体１に内蔵されることになる。また、この発光ダイオード１０の発光面には、蛍光材が塗布されており、これによって発光素子１０の発光面から出射された光が白色化されることになる。
【００４２】
該ランプ本体１は、正面視（被照射面側からみて）方形状に設けられており、この正面側が導光体２０に向けて光を放射する放射面２となる。つまり、該放射面２は、前記被照射物である導光体２０の被照射面（導光板の端面）に沿った形状に形成されている。なお、本実施形態においては、該放射面２は平面に形成されている。
【００４３】
また、ランプ本体１は、基板に載置され接続される下面３およびこれに対向する上面４が何れも平面であるとともに、互いに平行に設けられている。また、このランプ本体１の上面４および下面３は、いずれも導光体２０の上面および下面に連続するように設けられている。なお、この上面４および下面３には、反射層（図示省略）が設けられることが好ましい。ここで、反射層としては、ランプ本体１に付設された反射鏡や、ランプ本体１に塗布された白色塗料等によって構成することが可能である。
【００４４】
また、ランプ本体１は、背面（前記放射面２と対向する面）が湾曲した反射面５として設けられており、この反射面５において前記発光素子１０からの光が放射面２に向けて反射されることになる。
【００４５】
ここで、該反射面５は、平面視において、前記発光素子１０の発光面又はその近傍を焦点とする湾曲面となるように形成されている。これにより、発光素子１０の光は、反射面５により反射されることにより、平面視略平行になる。なお、この反射面５の湾曲面としては、たとえば放物曲線を採用することが可能である。
【００４６】
また、ランプ本体１は、前記放射面２と略垂直で、且つ、前記反射面５に連続するような平面からなる側面６が設けられている。
【００４７】
また、上記した発光ランプは、フラットパネルディスプレイの照明装置（たとえばバックライト）に組み込まれる際には、図４に示すように、一つの導光体２０に対して複数個設置されている。ここで、この複数個の発光ランプは、互いの放射面２が近接するように設置されており、より具体的には、ランプ本体１の側面６が隣接するランプ本体１の側面６と当接するように設置されている。
【００４８】
また、発光ランプは、放射面２が前記導光体２０の被照射面に略当接するように設置されている。
【００４９】
上記構成からなる発光ランプおよびそれを組み込んだフラットパネルディスプレイ用照明装置にあっては、発光素子１０から発光した光は、ランプ本体１の反射面５によって反射され、ランプ本体１の放射面２から導光体２０に向けて放射されて、導光体２０内に導光されることになる。
【００５０】
ここで、前記反射面５は上述のような平面視湾曲面として形成されているので、反射光が平面視略平行光化されて、この略平行化された光が導光体２０に導光される。このため、従来のバックライトで用いられていた集光プリズムフィルムや反射型偏光フィルム、拡散シートを必ずしも必要とせず、このため、照明装置の薄型化に寄与することができる。
【００５１】
また、前記反射面５における反射光は、側面視略平行光化されていないものの、ランプ本体１の上面４および下面３が平面であるため、この上面４および下面３に到達した光のうち一定角度内の光は、この上面４および下面３によって的確に放射面２に向けて反射されることになる。特に、この上面４および下面３に反射層を設けることによって、上記反射がより的確になされることになる。このため、発光素子１０の光を効率よく放射面２に導くことができる。
【００５２】
また、複数の発光ランプが一つの導光体２０に対して設置されており、特に、互いの放射面２が近接するように設置されているので、導光体２０の全体に均一に光を供給することが可能となり、導光体２０の被照射面とランプ本体１の放射面２とを略当接して設置でき、従来のデットエリア（図２２参照）をなくすことができ、このため、表示面積に対する装置の面積を小さくすることができ、さらには、光の指向特性の設計自由度を失わないデバイスを得ることができる。特に、上記実施形態においては導光体２０の上面および下面とランプ本体１の上面４および下面３とが連続するような形状に形成されていることにより、設計の自由度が高いという利点を有する。
【００５３】
また、発光素子１０としてＬＥＤを用いているので、消費電力が少なく、長寿命である利点を有する。
【実施例２】
【００５４】
次に、本願発明の第二実施形態の発光ランプについて、図５を参酌しつつ説明する。なお、図５は、第二実施形態の発光ランプの概略的斜視図である。なお、第一実施形態と同様の構成および同様の機能を有する部材については同一符号を用いその詳細説明を省略する。
【００５５】
第二実施形態の発光ランプは、ランプ本体１の放射面２に、光の全反射を抑制する拡散手段７が設けられており、本実施形態の該拡散手段７は、放射面２に塗布された蛍光塗料から構成されている。
【００５６】
かかる第二実施形態の発光ランプによれば、発光素子１０の光は、ランプ本体１の反射面５によって反射され、平面視略平行光化されて、拡散手段７を有する放射面２に到達する。この放射面２に到達した光のうち、拡散手段７が設けられていない場合では全反射条件を満たすような光でも、拡散手段７が設けられている放射面２の場合では全反射条件が崩れる為、放射面２から被照射面に放射することができ、放射面２における反射率を低下させることができる。また、放射面２に拡散手段７を設けることにより、放射面２からムラのない均一な光を放射させることができる。なお、上記放射面２への拡散手段７の形成方法としては上記蛍光塗料を塗布する方法のほか、放射面２をあらし処理することにより、あらし面からなる拡散手段７を採用することも可能である。
【実施例３】
【００５７】
次に、本願発明の第三実施形態の発光ランプについて、図６および図７を参酌しつつ説明する。なお、図６は、第三実施形態の発光ランプの概略的斜視図である。また、図７は、同実施形態の発光ランプの機能を説明するための説明図であり、（イ）は第一実施形態の発光ランプの放射面付近の概略的側面図で、（ロ）は第三実施形態の発光ランプの放射面付近の概略的側面図である。なお、第一または第二実施形態と同様の構成および同様の機能を有する部材については同一符号を用いその詳細説明を省略する。
【００５８】
第三実施形態の発光ランプは、ランプ本体１の放射面２に設けられた拡散手段７が、凹凸面によって形成されている。この凹凸面は、互いに平行な複数の凸条体７ａから構成されており、これにより凹凸面が、一次元的に配列されている。より詳述すると、この複数の凸状体７ａは、何れも水平方向（放射面２の上辺および下辺）に平行に形成されており、つまり、複数の凸状体７ａは、反射光が略平行に見える方向（上下方向）と垂直方向（水平方向）に沿うように形成されている。
【００５９】
上記のように凹凸面（凸条体７ａ）からなる拡散手段７を有する放射面２に到達した光は、第一実施形態のように拡散手段７が設けられていない場合では全反射条件を満たすような光でも、上記凹凸面（凸条体７ａ）が設けられている放射面２の場合では入射角が異なるため、放射面２における反射率を低下させることができる。
【実施例４】
【００６０】
次に、本願発明の第四実施形態の発光ランプについて、図８を参酌しつつ説明する。なお、図８は、第四実施形態の発光ランプの説明図であり、（イ）は概略的斜視図で、（ハ）は概略的平面図である。なお、第一乃至第三実施形態と同様の構成および同様の機能を有する部材については同一符号を用いその詳細説明を省略する。
【００６１】
第四実施形態の発光ランプは、第三実施形態と同様の拡散手段７を放射面２に有するものであり、ランプ本体１は、反射面５を有する反射部位１ａと、放射面２を有する放射部位１ｂとが異なる部材からなり、両者１ａ，１ｂが一体的に取り付けられて構成されている。ここで、前記反射部位１ａと放射部位１ｂとは何れも樹脂から形成されており、それぞれに設けられた係合手段（図示省略）によって一体的に取り付けられている。また、放射部位１ｂには、発光素子１０が収容される凹部（図示省略）が形成されており、この凹部に発光素子１０が収容されている。なお、この凹部は、反射部位１ａに設けることも可能であり、また、放射部位１ｂおよび反射部位１ａの双方に設けて、両者１ａ，１ｂの凹部により形成される空間部に発光素子１０が収容されるように設けることも可能である。
【実施例５】
【００６２】
次に、本願発明の第五実施形態の発光ランプについて、図９を参酌しつつ説明する。なお、図９は、第五実施形態の発光ランプの説明図であり、（イ）は概略的平面図で、（ロ）はフラットパネルディスプレイに装着された際の導光体との関係を説明するための概略的斜視図である。なお、第一乃至第四実施形態と同様の構成および同様の機能を有する部材については同一符号を用いその詳細説明を省略する。
【００６３】
第五実施形態の発光ランプは、発光素子１０を内蔵するランプ本体１が複数個、一体的に形成されて構成されている。具体的には、発光素子１０をそれぞれ内蔵する複数のランプ本体１が、モールド樹脂によって一体成型されて構成されている。なお、この成型に際しては、各ランプ本体１の型内には発光素子１０が内在され、各ランプ本体１に発光素子１０が内蔵されることになる。
【００６４】
上記のような発光ランプを導光体２０の端面（被照射面）に設置することにより、複数のランプ本体１によって線光源のように導光体２０に光を照射することができ、導光体２０の全体に均一に光を供給することが可能となり、このため、従来のデットエリア（図２２参照）をなくすことができ、このため、表示面積に対する装置の面積を小さくすることができる。また、複数のランプ本体１が一体的に形成されて発光ランプが構成されていることにより、発光ランプの組み込み作業等を簡便に行うことができ、作業性が向上するという利点を有する。
【実施例６】
【００６５】
次に、本願発明の第六実施形態の発光ランプについて、図１０乃至図１４を参酌しつつ説明する。なお、図１０は、第六実施形態の発光ランプの概略的説明図であり、(ａ)は概略的斜視図、（ｂ）は概略的正面図である。また、図１１、１３は、同実施形態の発光ランプがフラットパネルディスプレイに装着された際の照明装置に用いられる導光体との配置関係を説明するための概略的説明図である。なお、既述の実施形態と同様の構成および同様の機能を有する部材については同一符号を用いその詳細説明を省略する。また、この実施の形態に記載されている構成部品の寸法、材質、形状、その相対配置等は、特に特定的な記載がない限りはこの発明の範囲をそれのみに限定する趣旨ではなく、単なる説明例に過ぎない。
【００６６】
第六実施形態の発光ランプは、図１０に示すように、透明樹脂からなるランプ本体１が、内部に発光素子１０を内蔵した構成からなり、前記発光素子１０は、発光ランプの外部に設けられた外部電源（図示せず）が半田付け等によって電気的に接続される外部電極１２からの電力により発光する発光ダイオード（ＬＥＤ）から構成されており、該発光素子１０は、反射面５側に向けて発光するように設けられている。
【００６７】
また、前記発光素子１０は、ランプ本体１をモールド樹脂によって成型する際に成型型内に内在されることにより、ランプ本体１０に内蔵されることになる。また、この発光ダイオード１０の発光面には、蛍光材が塗布されており、これによって発光素子１０の発光面から出射された光が白色化されることになる。
【００６８】
該ランプ本体１０は、正面視（被照射面側からみて）が方形状に設けられ、この正面側が後述する導光体に向けて光を放射する放射面２となる。つまり、該放射面２は、導光体の被照射面（導光板の端面）に沿った形状に形成されている。なお、本実施形態においては、該放射面２は平面状に形成されている。
【００６９】
また、本実施形態では、該放射面２は、反射面５から反射された光を透過する投光部１ｃ、発光素子７が設けられている第１電極部１ｄ、及び、該発光素子７と外部電源とを電気的に接続する第２電極部１ｅに区分けされている。前記第１電極部１ｄ及び第２電極部１ｃとは、ランプ本体１０に一体的に設けられた基板１８の一面から構成されている。また、放射面２において、前記投光部１ｃおよび前記第一電極部１ｄが、導光体と対面して導光体に光を照射する投光領域に位置することになる。また、放射面２において、前記第二電極部１ｃが不投光領域を形成することになる。
【００７０】
また、本実施形態では、基板１８は、ＬＥＤを実装する際の耐熱温度を考慮し、ガラスエポキシ製の不透光性基板を用いて形成されている。また、発光ランプ１の厚みＬ１は１．０ｍｍであり、基板１８の厚みＬ２が０．１２ｍｍであり、被照射面である導光体の被照射面の厚さ１．０ｍｍとなるように形成されている。すなわち、不透光性基板１８と導光体の被照射面とが重なる領域は発光ランプの厚み方向に０．１２ｍｍとなっている。
【００７１】
なお、図１１に示すように、発光ランプの放射面２に形成される不透光領域２２は、その厚みが０．２ｍｍより大きな範囲で導光体の被照射面２３と重なると、すなわち、図１１におけるｌ５の領域が０．２ｍｍより大きい場合、導光体２４の入射端面２３へ光が入射されない領域が発生し、導光体内で光が全反射されず、液晶パネルを通して帯状の暗線２５が規則的に観察される。この帯状の暗線は、表示装置の表示品位を著しく低下する原因となる。
【００７２】
図１２に不透光領域２２と導光体の入射端面２３との重なりである領域ｌ５を変化した時の帯状の暗線２５の発生状態を示しており、各条件において、図中の○で記した場合は帯状の暗線が観察されない状態を、△で記した場合では帯状の暗線が薄く発生するが、液晶パネルを通しては観察されない状態を、×で記した場合では帯状の暗線が観察され表示品位が低下する状態を示す。
【００７３】
図１２より、発光ランプを導光体の端面に配置する場合、その不透光領域２２と導光体の入射端面２３とが重なる領域ｌ５の高さ方向の長さは、０．２ｍｍ以下が好ましく、より好ましくは、０．１２ｍｍ以下である。
【００７４】
なお、不透光領域２２と導光体の入射端面２３との重なりｌ５を０．２ｍｍ以下とするには、本実施形態の如く、発光ランプに形成される不透光領域を出来る限り小さく形成しても良いし、発光ランプを導光体の入射端面へ配置する際に、その重なりｌ５が０．２ｍｍより小さくなるように配置しても良い。なお、発光ランプから放射される光量を多くするには、前者の如く、発光ランプに形成される不透光領域を低減する方法が好ましい。
【００７５】
次に、図１３を用いて、発光ランプに形成される発光素子と導光体の入射端面との関係について説明する。
【００７６】
本実施形態では、発光素子４７として０．３ｍｍ角のＬＥＤ素子を用いた。また、発光ランプに形成される放射面４１は、その投光部４８の厚さ方向の長さｌ３を０．８８ｍｍにて形成し、ＬＥＤを投光領域４８の厚み方向の略中心に位置するように配置した。
【００７７】
また、発光素子４７が実装される電極４６は、その厚み方向の長さｌ４を０．６１ｍｍにて形成し、放射面の投光領域４８に対する電極４６の占有率｛（ｌ４／ｌ３）×１００｝を６９％にて形成した。
【００７８】
なお、電極４６の幅は０．４ｍｍにて形成し、発光ランプの幅方向の長さｗは１１ｍｍにて形成しており、ＬＥＤ素子４７が形成される電極４６の幅は無視できるほど小さく形成している。
【００７９】
また、本実施形態では、電極４６は、前述の基板４２と同様にガラスエポキシ基板上に配線電極を形成したものを用いた。
【００８０】
図１３に示すように、発光ランプの放射面４１に形成される電極（不透光領域）４６は、放射面の投光領域に対して、その占有率が７０％を超えると、被照明物である導光体の入射端面４３と合わせた場合、光が入射されない領域が、導光体４４の厚み方向に発生し、導光体４４上で線状の暗線４９となって観察され、液晶パネル等の表示装置を通して画像を観察した場合、表示品位が著しく低下する。
【００８１】
図１４に放射面の投光領域に占める電極部４６の占有率と、線状の暗線との関係を記載する。図中の○は、線状の暗線が観察されない状態を、△は線状の暗線は薄く観察されるが、表示には支障の無い状態を、×は線状の暗線が観察され表示品位が低下する状態をそれぞれ意味する。図１４より、占有率｛（ｌ４／ｌ３）×１００｝は、７０％以下が好ましく、より好ましくは、３０％以下である。
【００８２】
次に、本実施形態で用いた発光ランプの製造方法に関し、図１５及び図１６を用いて説明する。図１５は発光素子や電極が形成される基板の概略的平面図であり、図１６（ａ）は概略的平面図、同図（ｂ）は概略的縦断面図、同図（ｃ）は概略的横断面図である。
【００８３】
本実施形態では、基板６１にガラスエポキシ基板を用い、ルーター加工処理する事で実装基板６１を形成した。具体的には、基板の無い部分６４と、外部電極又は隣接する発光素子とを電気的に接続する電極６２が形成される基板部分と、発光素子が実装される基板部分６３とを有する基板６１を形成した。
【００８４】
また、本実施形態では、発光素子としてのＬＥＤが、各電極６３に対応した位置に３個配置し、放物面の１個当たりの長さｗ１，ｗ２，ｗ３をそれぞれ１１ｍｍとなるように形成している。なお、この形状は、２型の液晶表示装置に用いる照明装置の長さ（３３ｍｍ）に対応するように形成したためであり、ＬＥＤの個数、放物面の長さは、必要光量や表示装置のサイズに応じて適時選択できる。
【００８５】
次に、図１５（ｂ）に示すように基板６１に形成された電極６３上に発光素子６５としてＬＥＤをボンディング形成した。
【００８６】
そして、図１６に示すように、基板６１と金型６６とを嵌め合わせて、金型６６にて基板６１を押さえつけると共に、型内に樹脂を注入し固化せしめた。なお、この金型６６に基板を嵌め合わせるに際しては、各発光素子６５が放物面６７の焦点位置に配置されるように位置調整を行い、型６６の法物面６７により、発光素子６５の放射面６７が形成されるように配置している。なお、前記樹脂として透明樹脂であるエポキシ樹脂を用い、これを射出成型している。
【００８７】
次に、電極基板６１と投光部６４とに対応する位置にてダイシングカットを行い、透明樹脂６７の各面に銀蒸着を行う事で発光ランプを形成した。
【００８８】
図１７に、本実施形態で形成した発光ランプ６９の全体概略図を示す。
なお、分断ラインは、本実施形態に限定される訳ではなく、電極が形成される基板６１が０．２ｍｍ以下となるように分断されればよい。
【００８９】
以上説明の本実施形態の発光ランプによると、発光ランプの放射面に形成される不透光領域と導光体の入射端面との重なりを０．２ｍｍ以下で形成することで、導光体の入射端面へ光が入射されない領域を減少し、帯状の暗線を防止できる。
【００９０】
また、発光ランプの放射面内に形成される発光素子の形成領域が占める割合を、７０％以下で形成する事で、光が入射されない領域を低減でき、線状の暗線の発生を防止できる。
【００９１】
また、本発明の発光ランプの製造方法によれば、簡便な方法で、発光ランプの放射面内の不透光領域及び、発光素子の形成領域を小さくでき、透過光量が高く、帯状の暗線、線状の暗線を防止した発光ランプを提供できる。
【００９２】
また、反射面を形成する際に発生する基板の反りを低減でき、焦点距離の位置ズレを低減できる。
【００９３】
なお、本実施形態では、ランプ本体１がボンディングされる基板にガラスエポキシ樹脂を用いたが、リードフレーム等の金属性の基板を用いても良い。本構成では、配線電極と、実装基板を兼ねることができ、不透光領域を更に低減できるため、帯状の暗線の発生を低減できると共に、投光部からの透過光量を増加できる。
【００９４】
また、基板にガラスや透明樹脂などの透光性基板を用い、配線電極にＩＴＯなどの透明電極を用いた場合、不透光領域を更に低減でき、帯状の暗線、線状の暗線の発生を、更に防止できると共に、投光部からの透過光量を、更に増加できる。
【００９５】
また、本実施形態では、反射層には銀蒸着を用いたが、ランプ本体に付設される反射鏡や、ランプ本体に塗布された白色塗料等によって構成することが可能である。
【実施例７】
【００９６】
次に、本発明の第七実施形態の発光ランプについて、図１８を参酌しつつ説明する。なお、図１８は、第七実施形態の発光ランプの概略的説明図であり、(ａ)は概略的斜視図、（ｂ）は概略的正面図である。基本的な構成は本実施例１の発光ランプと同じであるが、外部電極又は、隣接する発光素子と電気的に接続する為の電極の形成方法、不透光性基板の構造及び、発光素子の配置位置が異なる。
【００９７】
第七実施形態の発光ランプは、ランプ本体７０の放射面７１には、投光部７４と発光素子７７が配置される電極部７３が形成され、外部電極７２又は、隣接する発光素子７７間を電気的に接続するための配線電極７６には、直径０．０２５ｍｍの金線ワイヤーを用いて接続を行った。
【００９８】
また、発光素子７７、及び、発光素子７７が形成される電極７３は、放射面７１の厚み方向の上側にオフセット形成した。具体的には、発光素子には０．３ｍｍ角のＬＥＤを用い、ＬＥＤが実装される電極部７３を０.４ｍｍ角で形成した。
【００９９】
このように発光ランプ７０を形成する事で、不透光性基板をなくすことができ、放射面７１から出射する光量はほとんど低下しない。
【０１００】
また、不透光性領域がほとんど存在しないため、照明装置に適用した場合、帯状の暗線は発生しない。
【０１０１】
また、放射面の投光領域における電極７３の占有率は４０％と低減でき、線状の暗線は発生しない。次に、本実施形態で用いた発光ランプの製造方法を図１９及び図２０を用いて説明する。
【０１０２】
図１９（ａ）は発光素子が実装される基板の形状の概略平面図である。本実施形態では、基板８１はリードフレーム基板をエッチング処理する事で形成した。
発光素子の個数、放物面の１個当たりの長さｗ等は、第六実施形態と同様である。
【０１０３】
次に、図１９（ｂ）に示すように基板８１に形成された電極８３上に発光素子８５をボンディングし、発光素子８５と電極８２との接続には、０．０２５ｍｍの金線ワイヤーを使用して接続を行った。
【０１０４】
次に、図２０に示すように、基板８１と金型８８を嵌め合わせて、金型８８にて基板８１を押さえつけると共に、型内に樹脂を注入し、固化せしめた。なお、嵌め合わせた際に、各発光素子８５が放物面８７の焦点位置に配置されるように、型８８の放物面は形成されており、上記嵌め合わせに際しては、発光素子８５が上記焦点位置に位置するように位置調節している。なお、図２０（ａ）は概略的正面図、同図（ｂ）は概略的縦断面図、同図（ｃ）は概略的横断面図である。
【０１０５】
次に、基板８１の不透光性領域が放射面内に残らないよう、ダイシングカットを行う事で発光ランプ８９を形成した。図２１に本実施形態の発光ランプの全体概略図を示す。
【０１０６】
以上説明のように、本実施形態の発光ランプでは、放射面に不透光性領域である、基板、外部電極または、隣接する発光素子間を接続する配線電極がほとんど存在しないため、放射面から出射する光は光量がほとんど低下しない。
【０１０７】
また、照明装置に用いた場合、帯状の暗線の発生を防止できる。
【０１０８】
また、発光素子が形成される電極部を、発光素子をオフセット配置する事で小さくでき、放射面の投光領域における電極の占有率を小さくでき、線状の暗線を防止できる。
【０１０９】
以上のように各実施形態の発光ランプは上述の構成からなり上述の利点を有するものであったが、本願発明は上記構成に限定されるものではなく、本願発明の意図する範囲内において適宜設計変更可能である。
【０１１０】
つまり、本願発明においては、拡散手段７は必須の要件ではない。さらに、拡散手段７を放射面２に設ける場合にあっても上記各実施形態の構成に限定されるものではなく、たとえば、上記第三または第四実施形態の拡散手段７としての凹凸面（凸条体７ａ）に第二実施形態のような蛍光塗料の塗布やあらし面の形成を行うことも適宜設計変更可能な範囲である。
【０１１１】
また、上記各実施形態においては、ランプ本体１の上面４および下面３が平面から構成されているものについて説明したが、本願発明はこれに限定されず、たとえば若干湾曲した湾曲面を採用することも可能である。さらに、ランプ本体１の上面３および／または下面２を略平面から構成した場合にあっても、上記実施形態のように上面３および下面２が平行であるものに限られず、たとえば、上面３および下面２の少なくとも何れか一方の面が、放射面２（正面）から反射面５（背面）にかけて他方の面側に傾斜したものであっても、本願発明の意図する範囲内である。
【図面の簡単な説明】
【０１１２】
【図１】本願発明の第一実施形態の発光ランプの概略的斜視図である。
【図２】第一実施形態の発光ランプの概略的平面図である。
【図３】第一実施形態の発光ランプの概略的正面図である。
【図４】第一実施形態の発光ランプがフラットパネルディスプレイに装着された際の導光体との関係を説明するための概略的斜視図である。
【図５】本願発明の第二実施形態の発光ランプの概略的斜視図である。
【図６】本願発明の第三実施形態の発光ランプの概略的斜視図である。
【図７】第三実施形態の発光ランプの機能を説明するための説明図であり、（イ）は第一実施形態の発光ランプの放射面付近の概略的側面図で、（ロ）は第三実施形態の発光ランプの放射面付近の概略的側面図である。
【図８】本願発明の第四実施形態の発光ランプの説明図であり、（イ）は概略的斜視図で、（ハ）は概略的平面図である。
【図９】本願発明の第五実施形態の発光ランプの説明図であり、（イ）は概略的平面図で、（ロ）はフラットパネルディスプレイに装着された際の導光体との関係を説明するための概略的斜視図である。
【図１０】第六実施形態の発光ランプの概略的説明図であり、（ａ）は概略的斜視図、（ｂ）は概略的正面図である。
【図１１】第六実施形態の発光ランプと照明装置との配置関係を示す概略的説明図である。
【図１２】第六実施形態の発光ランプにおける帯状の暗線に関する表である。
【図１３】第六実施形態の発光ランプと照明装置との配置関係を示す概略的説明図である。
【図１４】第六実施形態の発光ランプにおける線状の暗線に関する表である。
【図１５】第六実施形態の発光ランプの製造方法を示す概略図である。
【図１６】第六実施形態の発光ランプの製造方法を示す概略図である。
【図１７】第六実施形態の製造方法により製造された発光ランプの概略的斜視図である。
【図１８】第七実施形態の発光ランプの概略的説明図であり、（ａ）は概略的斜視図、（ｂ）は概略的正面図である。
【図１９】第七実施形態の発光ランプの製造方法を示す概略図である。
【図２０】第七実施形態の発光ランプの製造方法を示す概略図である。
【図２１】第七実施形態の製造方法により製造された発光ランプの概略的斜視図である。
【図２２】従来の照明装置の概略的平面図である。
【図２３】従来の照明装置の概略斜視図である。
【符号の説明】
【０１１３】
１    ランプ本体
１ａ  反射部位
１ｂ  放射部位
２    放射面
３    下面
４    上面
５    反射面
６    側面
７    拡散手段
７ａ  凸状体
１０    発光素子
２０    導光体
【図１】
2005038822.tif 000003
【図２】
2005038822.tif 000004
【図３】
2005038822.tif 000005
【図４】
2005038822.tif 000006
【図５】
2005038822.tif 000007
【図６】
2005038822.tif 000008
【図７】
2005038822.tif 000009
【図８】
2005038822.tif 000010
【図９】
2005038822.tif 000011
【図１０】
2005038822.tif 000012
【図１１】
2005038822.tif 000013
【図１２】
2005038822.tif 000014
【図１３】
2005038822.tif 000015
【図１４】
2005038822.tif 000016
【図１５】
2005038822.tif 000017
【図１６】
2005038822.tif 000018
【図１７】
2005038822.tif 000019
【図１８】
2005038822.tif 000020
【図１９】
2005038822.tif 000021
【図２０】
2005038822.tif 000022
【図２１】
2005038822.tif 000023
【図２２】
2005038822.tif 000024
【図２３】
2005038822.tif 000025